(57)【要約】【課題】投射部への塵埃等の付着がほぼ皆無になるプロジェクタを提供する。【解決手段】プロジェクタ１は、上部外装および下部外装３に設けられた投射開口７と、投射開口７を開閉するための開閉扉８と、投射開口７へ第２ファンからの冷却空気を流出させるための流出口８３と、を備え、冷却空気は、開閉扉８の開放開始と連動して流出口８３からの流出を開始し、投射開口７の少なくとも開口となった全域を覆いプロジェクタ１の外部側と内部側とを遮断するエアカーテン３０を形成する。【選択図】図３
2009162987.tif 000002
【特許請求の範囲】
【請求項１】
光源部から射出された光束を画像信号に応じ光変調装置で変調し画像光を形成し、当該画像光を投射するプロジェクタであって、
筐体と、
前記画像光の投射のために前記筐体に設けられた開口部と、
前記開口部を開閉するための開閉扉と、
前記開口部へ空気を流出させるための流出口と、
前記開閉扉の開放動作と連動して前記流出口から空気の流出を開始させる制御部と、を有することを特徴とするプロジェクタ。
【請求項２】
請求項１に記載のプロジェクタにおいて、
前記制御部は、さらに、前記開閉扉の閉止終了と連動して前記流出口から空気の流出を停止させることを特徴とするプロジェクタ。
【請求項３】
請求項１または２に記載のプロジェクタにおいて、
前記流出口は、前記開閉扉の端部に形成されていることを特徴とするプロジェクタ。
【請求項４】
請求項１または２に記載のプロジェクタにおいて、
前記流出口は、前記開口部の縁部に設けられていることを特徴とするプロジェクタ。
【請求項５】
請求項１から４のいずれか一項に記載のプロジェクタにおいて、
前記流出口は、前記流出口から流出された空気が前記画像光を投射するための投射レンズへの当接を回避するように構成されていることを特徴とするプロジェクタ。
【請求項６】
請求項１から５のいずれか一項に記載のプロジェクタにおいて、
前記筐体の内部を冷却するために導入される冷却空気を前記流出口に分流する分流ダクトを有していることを特徴とするプロジェクタ。
【発明の詳細な説明】
【技術分野】
【０００１】
本発明は、筐体の開口部から塵埃等の異物が浸入することを防止するためのプロジェクタに関する。
【背景技術】
【０００２】
従来、光学系を構成するレンズ等に、塵埃が付着しないようにするため、光学系の前面または近傍へ風を送って付着抑止を図ったプロジェクタが知られている。このプロジェクタによれば、プロジェクタの稼動中は、ファンからの風が、常に、光学系に送られており、この風によって、光学系に近づく塵埃を遮っている。具体的には、光学系の最前列のレンズへ、ファンからの風が送られるようにダクトの向きを調整して、塵埃の付着を抑止している。これにより、プロジェクタは、塵埃の影響による投射画像の画質低下を防いでいる。また、光学系を外部と遮断するためのシャッタを設けることにより、シャッタを閉じれば、プロジェクタの稼働停止中においても、外部からの塵埃の浸入を防止することが可能である（例えば特許文献１）。
【０００３】
【特許文献１】特開２００５−１７３１１９号公報
【発明の開示】
【発明が解決しようとする課題】
【０００４】
しかし、従来の技術では、プロジェクタの起動時において、シャッタの開放がファンからの風の到着より早く、その間に、開放されたシャッタから塵埃が浸入して光学系に付着することがあった。同様に、プロジェクタの稼働停止時においても、シャッタの閉止がファンからの風の停止より遅く、その間に、開放されているシャッタから塵埃が浸入して光学系に付着してしまう、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例にかかるプロジェクタは、光源部から射出された光束を画像信号に応じ光変調装置で変調し画像光を形成し、当該画像光を投射するプロジェクタであって、筐体と、前記画像光の投射のために前記筐体に設けられた開口部と、前記開口部を開閉するための開閉扉と、前記開口部へ空気を流出させるための流出口と、前記開閉扉の開放動作と連動して前記流出口から空気の流出を開始させる制御部と、を有することを特徴とする。
【０００７】
このプロジェクタによれば、開口部を閉止していた開閉扉が開けられると、異物が開口部から筐体内へ浸入しやすい状態になるが、流出口から空気流を流出して開口部を覆うことにより、開口部からの異物の浸入を防止できる。つまり、開閉扉が開けられるにつれて、開閉扉で閉じられていた開口部に、筐体の外部側と内部側とを連通させる開口が出現し始め、徐々に拡大して開口部の全域が開口となって開放される。この時、プロジェクタは、開閉扉の開放動作と連動して、流出口から空気が流出して空気流を形成し、形成された空気流によって、開口部に出現し始めた開口が覆われるように制御する。これにより、開口における筐体の外部側と内部側とは、空気流によって遮断された状態となり、異物が筐体の外部側から開口部を通って筐体の内部側へ浸入できなくなっている。そして、この空気流による遮断状態は、開口部の全域が開放されても継続される。ゆえに、開口部が開放されて、筐体の内部から光束が投射可能な状態であっても、開口部からの異物の浸入を阻止して、筐体内部を常に清浄に保つことができ、プロジェクタの投射機能を長期に維持することができる。
【０００８】
［適用例２］上記適用例にかかるプロジェクタにおいて、前記制御部は、さらに、前記開閉扉の閉止終了と連動して前記流出口から空気の流出を停止することが好ましい。
【０００９】
上記構成によれば、開閉扉が閉止し始めても、流出口から空気が流出して、空気流が継続して形成されており、徐々に縮小する開口を覆って、開口部からの異物の浸入を阻止している。そして、開閉扉によって、開口部が完全に閉じられると、流出口からの空気の流出が止まり、空気流の形成が停止する。この状態で空気流の形成が停止しても、開口部は開閉扉によって開口のない状態になっているため、開口部から異物が侵入することはない。このように、開口部に開口が生じている間において、空気流によって開口を確実に覆うだけでなく、開口部が閉じている間では、空気流の形成を停止して、空気流の無駄な形成をなくすことができる。
【００１０】
［適用例３］上記適用例にかかるプロジェクタにおいて、前記流出口は、前記開閉扉の端部に形成されていることが好ましい。
【００１１】
上記構成によれば、開閉扉の端部に形成された流出口から流出した空気は、空気流を形成して、開口部の開口した部分を覆っている。このように、開閉扉の端部から空気を流出する構成では、異物が浸入し易い開口のみを空気流で覆っており、開口以外の領域にまで空気流を形成せず、効率的に空気流を形成することができる。従って、開閉扉の開閉に伴う開口部の開口の大きさに合わせて、空気の流出強さを変えること等ができ、省エネルギーを図った空気流の形成が行えるプロジェクタを提供できる。
【００１２】
［適用例４］上記適用例にかかるプロジェクタにおいて、前記流出口は、前記開口部の縁部に設けられていることが好ましい。
【００１３】
上記構成によれば、空気流は、開閉扉が多少でも開いている間において、常に、開口を含めて開口部の全域を覆うように形成されている。従って、空気流で覆われないような開口部の部分がないため、プロジェクタが置かれた環境に関わらず、また異物が微細であっても、開口部から異物が侵入することを確実に防止できる。
【００１４】
［適用例５］上記適用例にかかるプロジェクタにおいて、前記流出口は、前記流出口から流出された空気が前記画像光を投射するための投射レンズへの当接を回避するように構成されていることが好ましい。
【００１５】
上記構成によれば、流出口は、開口部を覆うと共に、投射レンズに直接当たらないように形成されている。これにより、空気流が冷たい空気や湿った空気等で形成されていても、直接投射レンズに当たらないため、投射レンズと空気との温度差等で光束が歪んだり、湿気がもたらされて投射レンズに黴等が発生しやすくなったりすることを、抑制できる。
【００１６】
［適用例６］上記適用例にかかるプロジェクタにおいて、前記筐体の内部を冷却するために導入される冷却空気を分流する分流ダクトを有していることが好ましい。
【００１７】
上記構成によれば、空気流を形成する空気は、プロジェクタの内部を冷却するために導入する空気であって、プロジェクタは、投射装置へ導入する空気の一部を分流して、空気流を形成する分流ダクトを有している。こうすれば、空気流を形成するためだけに、空気の導入機構を備える必要がなく、プロジェクタに備えられている冷却用の空気の導入機構をそのまま用いることができる。そのため、より簡便な機構によって、異物浸入防止のための空気流の形成が行え、プロジェクタが大型化することを抑制できる。
【発明を実施するための最良の形態】
【００１８】
以下、防塵方法を備えたプロジェクタの具体的な実施形態について、図面に従って説明する。本実施形態のプロジェクタは、光束を投射する投射部へ塵埃等（異物）が付着することを防止する構成に、特徴を有している。
（実施形態１）
【００１９】
図１（ａ）は、実施形態１にかかるプロジェクタを正面上方から見た斜視図、図１（ｂ）は、プロジェクタを正面下方から見た斜視図である。図１に示すように、プロジェクタ１は、略直方体形状の外観をなしていて、プロジェクタ１の機構部を収容する筐体である上部外装２と、下部外装３と、を有している。上部外装２は、プロジェクタ１の上部側に配置され、上面、正面、背面、右側面および左側面を形成している。上部外装２の上面には、背面側左方に位置し、光源部のランプを交換するために開閉可能な光源蓋２ａと、上面の略中央部に位置し、プロジェクタ１を操作するための操作ボタン類を有する操作部２ｂと、正面側右方にあって投射部４５の投射レンズ４５ａからの光束が通過して投射されるための投射開口（開口部）７と、が設けられている。
【００２０】
そして、下部外装３は、プロジェクタ１の正面、右側面、左側面、背面および下面を形成しており、投射開口７の内部側には、左右方向にスライド移動して投射開口７を開閉するための開閉扉８を有している。また、下部外装３の下面３ａには、投射部４５の直下に、機構部を冷却する冷却空気（空気）を筐体の内部へ取り入れるための吸気口５が設けられ、左側面には、機構部を冷却した冷却空気を排気するための排気口６が設けられている。さらに、下面３ａには、正面側中央、背面側右方および背面側左方に位置し、投射部４５から投射される画像の上下方向の煽りと水平方向の傾きとを調整するための３本の脚部１０と、プロジェクタ１を無線制御するリモコンに対応する受信部１４と、が設けられている。このプロジェクタ１は、画像が投射されるスクリーン等を見る側と同じ側に設置されるいわゆるフロントタイプのものである。
【００２１】
次に、筐体の内部に収容されている機構部について説明する。図２は、プロジェクタの内部の構成を示す斜視図である。図２に示すように、プロジェクタ１は、内部に、吸気口５（図１）から冷却空気を吸引して取り入れるための２つの吸気ファン１５と、吸気ファン１５の一方の第１ファン１５ａが取り込んだ冷却空気を機構部へ導くための第１ダクト１７と、吸気ファン１５の他方の第２ファン１５ｂが取り込んだ冷却空気を機構部へ導くための第２ダクト（不図示）と、第２ダクトの冷却空気を分流して開閉扉８へ供給するための分流ダクト９と、を有している。
【００２２】
また。プロジェクタ１は、第１ファン１５ａと第２ファン１５ｂとの間に位置し光束を投射する投射部４５と、下部外装３の正面左方にあって一端が排気口６（６ｂ）と対向して位置する電源部１８と、電源部１８の背面側に排気口６（６ａ）に対して斜めに対向して位置する排気ファン１６と、排気ファン１６から投射部４５にかけて上面側から見て略Ｌ字状に配置された光学ユニット４（４１，４２，４３，４４，４５）と、光学ユニット４の背面側に設けられたスピーカ１９と、光学ユニット４の上方に設けられた制御基板２０と、制御基板２０の背面側に設けられ、外部機器とプロジェクタ１とを接続するための数種の端子類を有するコネクタ部２１と、を有している。
【００２３】
プロジェクタ１の機構部の主要部である光学ユニット４は、排気ファン１６の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。このような構成の光学ユニット４は、略Ｌ字状の支持体に収容されて、下部外装３の内底面に載置されている。
【００２４】
ここで、光学ユニット４の機能について、簡単に説明する。インテグレータ照明部４１は、光源部の光源ランプから光束を射出し、光学変調部（光変調装置）４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５の投射レンズ４５ａによって拡大して投射され、スクリーンに映像として映し出される。
【００２５】
次に、分流ダクト９から冷却空気の供給を受けると共に投射開口７を開閉するための開閉扉８と、その近傍の構成と、について、図２および図３を参照して説明する。図３は、エアカーテンを形成する流出口が設けられた開閉扉を示す斜視図であり、投射開口７に対してほぼ全開状態の開閉扉８を示している。開閉扉８は、下部外装３の投射開口７に対して内側に位置し、外面側が投射開口７と対向する平面であり、内面側が略中央部に一段の段差をなしている長方形の板状である。段差は、開閉扉８が左右にスライドする方向の投射開口７の側が厚くなった肉厚部となっていて、この肉厚部には、スライド方向に沿って冷却空気を導く導風孔８１が形成されている。導風孔８１は、略中央部の段差部に冷却空気が流入する流入口８２と、開閉扉８の投射開口７側の端面に冷却空気が流出する流出口８３と、を有し、流出口８３の上下方向の長さは、投射開口７の上下方向の長さより長く設定されている。
【００２６】
そして、下部外装３の投射開口７の近傍には、投射開口７を取り囲む矩形状の枠をなし、枠の内側に開閉扉８がガイドされてスライド移動するための溝部１２が形成されたスライド枠１１と、スライド枠１１の電源部１８寄りに設けられた分流ダクト９と、同じくスライド枠１１の電源部１８寄りに設けられ開閉扉８をスライドさせるための開閉機構部１３と、が設けられている。さらに、分流ダクト９と流入口８２との間には、分流ダクト９から導風孔８１へ冷却空気を送るための伸縮導風筒９１が設けられている。伸縮導風筒９１は、蛇腹状の形状をしていて、スライド移動する開閉扉８の流入口８２に追随して伸縮する。
【００２７】
上述のような構成により、分流ダクト９から冷却空気の空気分流３１ａを形成して供給された冷却空気は、伸縮導風筒９１へ送られて、空気分流３１ｂとして流入口８２から導風孔８１へ導かれる。導風孔８１を通過した空気分流３１ｂは、投射開口７の開口している部分を覆うように流出口８３から流出し、投射部４５の投射レンズ４５ａに直接当たることなく、投射開口７の左方から右方の方向へ流れる。このように流出口８３から流出した冷却空気は、上下方向の長さが投射開口７より長いため、投射開口７の全域を確実に覆うエアカーテン３０を形成する。このエアカーテン３０の形成により、投射開口７において、プロジェクタ１の外部側と内部側とが塵埃等の侵入できない遮断状態となる。そのため、図１に示すように、プロジェクタ１の投射開口７が開かれている状態であっても、塵埃等が浸入して投射レンズ４５ａに付着するようなことがなく、プロジェクタ１の輝度低下や投射映像の画質低下等を防止できる。
【００２８】
なお、冷却空気の空気分流３１ａは、分流ダクト９の切換部９ａが、第２ファン１５ｂ（図２）で導入した冷却空気の一部を開閉扉８へ分流して導くように、切り換え操作をすることにより形成される。そして、分流ダクト９の切換部９ａが、分流を停止する切り換え操作をすれば、第２ファン１５ｂが稼働していても、空気分流３１ａは形成されない。また、開閉機構部１３は、詳細を示していないが、プランジャーで開閉扉８を開閉させる方法や、モータ制御のラックおよびピニオン機構で開閉扉８を開閉させる方法等を用いて構成されている。開閉機構部１３は、開閉扉８の開放開始および開放終了や閉止終了を検出するための位置検出部１３ａを有している。位置検出部１３ａは、マイクロスイッチによる電気的検出またはフォトセンサによる光学的検出等により構成されている。
【００２９】
このような構成のプロジェクタ１は、制御部によって制御されており、以下にその構成について説明する。図４は、制御部の構成を示すブロック図である。プロジェクタ１の制御部５０は、制御基板２０に実装されていて、プロジェクタ１を総合的に制御するＣＰＵ（Central  Processing  Unit）５１と、ＣＰＵ５１が参照して各種処理を実行するためのプログラム等を格納しているＲＯＭ（Read  Only  Memory）５２と、光学ユニット４および電源部１８を制御するユニット制御部５３と、操作部２ｂおよびコネクタ部２１を制御する入出力制御部５４と、を有している。
【００３０】
また、制御部５０は、吸気ファン１５および排気ファン１６を制御するファン制御部５５と、分流ダクト９の切換部９ａおよび開閉機構部１３の位置検出部１３ａを制御する開閉扉制御部５６と、を有している。これら制御部５０を構成する各々は、内部バスを介して互いに接続されている。
【００３１】
次に、制御部５０による開閉扉８を開閉するための制御およびエアカーテン３０を形成するための制御について説明する。最初に、プロジェクタ１の稼働開始時の制御について説明する。図５は、プロジェクタの稼働開始時の手順を示すフローチャートである。このフローチャートに基づき、開閉扉８の開放およびエアカーテン３０の形成が行われる。また、図６は、開閉扉が閉まった状態を示す正面図、図７は、開閉扉が半開の状態を示す正面図、そして、図８は、開閉扉が全開の状態を示す正面図である。
【００３２】
図５にフローチャートを示す。まず、ステップＳ１において、開閉扉８の開放を開閉機構部１３へ指示する。具体的には、制御部５０のＣＰＵ５１がＲＯＭ５２のプログラムに準じ開閉扉制御部５６を介して、開閉扉８の開放を開閉機構部１３へ指示する。この時、開閉扉８は、図６に示すように、流出口８３がスライド枠１１の溝部１２へ収まっていて、投射開口７の全域を塞いで閉まっている。また、伸縮導風筒９１は、分流ダクト９から開閉扉８の流入口８２に追随して伸びた状態である。この状態では、開閉扉８によって、投射開口７から塵埃等が浸入することを防止している。開閉扉８の開放指示後、ステップＳ２へ進む。
【００３３】
ステップＳ２において、位置検出部１３ａから開閉扉８の開放を開始する情報を、受信したか否かを判断する。判断は、開閉扉制御部５６が位置検出部１３ａから受信した開放開始の情報に基づき、ＣＰＵ５１が行う。開放開始の情報を受信していなければ、ステップＳ２において受信を待ち、一方、開放開始の情報を受信すれば、ステップＳ３へ進む。開閉扉８の開閉を開始するステップＳ２は、開放工程に該当する。
【００３４】
開放開始の情報の受信後、ステップＳ３において、冷却空気を開閉扉８へ分流するよう切換部９ａへ指示する。切換部９ａは、開閉扉制御部５６からの切り換え指示により、第２ファン１５ｂの冷却空気の一部を、分流ダクト９を通って伸縮導風筒９１へ送るように切り換え操作を行う。これにより、開閉扉８の開放開始に伴って、投射開口７に出現する開口を覆うエアカーテン３０が形成される。
【００３５】
このステップＳ３は、気体流形成工程に該当し、流出口８３がスライド枠１１から離反して開閉扉８が開き始めると、図７に示すように、投射開口７に開口部分が出現し始める。また、開閉扉８のスライドに連動して、伸縮導風筒９１は、徐々に分流ダクト９の方向へ縮まっていく。そして、流出口８３がスライド枠１１から離反する時には、分流ダクト９から冷却空気の空気分流３１ａ，３１ｂが導風孔８１へ送られていて、流出口８３から流出した冷却空気によって、エアカーテン３０が形成されている。このように、投射開口７に開口部分が出現し始めると、直ちにエアカーテン３０が形成され、投射開口７の開口部分から塵埃等が投射部４５へ進入することを防止している。切り換え指示後、ステップＳ４へ進む。
【００３６】
ステップＳ４において、位置検出部１３ａから開閉扉８の開放完了の情報を、受信したか否かを判断する。判断は、開閉扉制御部５６が位置検出部１３ａから受信した開放完了の情報に基づき、ＣＰＵ５１が行う。開放完了の情報を受信していなければ、ステップＳ４において受信を待ち、一方、開放完了の情報を受信すれば、ステップＳ５へ進む。
【００３７】
ステップＳ５において、開閉機構部１３へ停止を指示する。これで、投射開口７は、図８に示すように、開閉扉８に遮られずに、全域が開かれており、投射部４５から光束の投射が可能になる。また、伸縮導風筒９１は、分流ダクト９の方向へ最も縮まった状態となっていて、分流ダクト９からの空気分流３１ａ，３１ｂを効率良く導風孔８１へ導いている。これにより、投射開口７の全域を覆うエアカーテン３０が形成され、投射開口７が全開状態であっても、塵埃等が投射部４５へ進入することを防止できる。このステップＳ５は、ステップＳ２およびステップＳ４と共に、開放工程に該当する。以上で、プロジェクタ１の稼働開始時において、エアカーテン３０を形成するフローが終了する。
【００３８】
次に、プロジェクタ１の稼働終了時の制御について説明する。図９は、プロジェクタの稼働終了時の手順を示すフローチャートである。図９のフローチャートに示すように、まず、ステップＳ１０において、開閉扉８の閉止を開閉機構部１３へ指示する。具体的には、制御部５０のＣＰＵ５１がＲＯＭ５２のプログラムに準じ開閉扉制御部５６を介して、開閉扉８の閉止を開閉機構部１３へ指示する。この時、開閉扉８は、図８に示すように、投射開口７が全開の状態である。開閉扉８の閉止指示後、ステップＳ１１へ進む。
【００３９】
ステップＳ１１において、位置検出部１３ａから開閉扉８が閉止される直前であるとの情報を、受信したか否かを判断する。開閉扉８の閉止直前とは、閉止される開閉扉８が、図７に示す投射開口７をほぼ塞いだ状態からさらに閉止され、投射開口７を完全に塞いで、流出口８３がスライド枠１１の溝部１２へ入ろうとしている状態である。この状態であれば、エアカーテン３０がなくても、投射開口７から塵埃等が投射部４５へ進入することを防止できる。閉止直前の判断は、開閉扉制御部５６が位置検出部１３ａから受信した閉止直前の情報に基づき、ＣＰＵ５１が行う。このステップＳ１１は、開閉扉８を閉止する閉止工程に該当する。そして、制御部５０が閉止直前の情報を受信していなければ、ステップＳ１１において受信を待ち、一方、閉止直前の情報を受信すれば、ステップＳ１２へ進む。
【００４０】
ステップＳ１２において、冷却空気の開閉扉８への分流を停止するよう切換部９ａへ指示する。切換部９ａは、開閉扉制御部５６からの切り換え指示により、第２ファン１５ｂの冷却空気の一部を、分流ダクト９へ送らないように切り換え操作を行う。これにより、エアカーテン３０の形成が停止される。このステップＳ１２は、気体流停止工程に該当する。切換部９ａへ切り換え指示後、ステップＳ１３へ進む。
【００４１】
ステップＳ１３において、位置検出部１３ａから開閉扉８の閉止完了の情報を、受信したか否かを判断する。判断は、開閉扉制御部５６が位置検出部１３ａから受信した閉止完了の情報に基づき、ＣＰＵ５１が行う。閉止完了の情報を受信していなければ、ステップＳ１３において受信を待ち、一方、閉止完了の情報を受信すれば、ステップＳ１４へ進む。
【００４２】
ステップＳ１４において、開閉機構部１３へ停止を指示する。これで、投射開口７は、図６に示すように、開閉扉８によって全域が塞がれた状態となる。このステップＳ１４は、ステップＳ１１およびステップＳ１３と共に、閉止工程に該当する。以上で、プロジェクタ１の稼働終了時において、エアカーテン３０の形成を停止するフローが終了する。
【００４３】
以下、実施形態１におけるプロジェクタ１の主な効果をまとめて記載する。
【００４４】
（１）プロジェクタ１は、開閉扉８の開放開始（開放工程）と連動して、流出口８３から冷却空気が流出してエアカーテン３０を形成（気体流形成工程）する構成である。形成されたエアカーテン３０は、投射開口７を覆い、塵埃等の異物が投射開口７を通って、プロジェクタ１の内部へ浸入することを防止している。また、エアカーテン３０は、開閉扉８が閉止（閉止工程）して投射開口７を閉じると、形成が停止（気体流停止工程）される。これにより、プロジェクタ１は、常時、投射開口７からの異物の浸入を阻止できるため、正常な投射機能を長期に維持することができる。
【００４５】
（２）また、流出口８３が開閉扉８の端面部に設けられており、開閉扉８の開閉に伴う投射開口７の開口の大きさに合わせて、流出口８３からの冷却空気の流出強さを変える操作をすれば、塵埃等の浸入を防止し且つ省エネルギーを図りつつ、エアカーテン３０の形成をすることができる。
【００４６】
（３）そして、エアカーテン３０は、投射開口７を覆うと共に投射レンズ４５ａに直接当たらないように形成されている。これにより、エアカーテン３０が冷たい空気や湿った空気等で形成されていても、直接投射レンズ４５ａに当たらないため、投射レンズ４５ａとエアカーテン３０との直接当接による温度差等で光束が歪んだり、湿気が直接もたらされて投射レンズ４５ａに黴等が発生しやすくなったりすることを、抑制できる。
【００４７】
（４）さらに、エアカーテン３０は、プロジェクタ１を冷却する冷却空気を導入する吸気ファン１５から分流した冷却空気を用いているため、エアカーテン３０を形成するための空気導入機構を備える必要がない。そのため、簡便な機構によって、エアカーテン３０の形成が行え、プロジェクタ１の大型化を抑制できる。
（実施形態２）
【００４８】
次に、防塵方法を備えたプロジェクタ１を具体化した実施形態２について説明する。実施形態２における実施形態１との相違点は、実施形態１において、開閉扉８の端面部に設けられ開閉扉８と共にスライド移動していた流出口８３が、投射開口７の縁部に固定されて設けられた流出口であることである。図１０は、実施形態２におけるエアカーテンが形成された投射開口の近傍を示す斜視図である。図１０に示すように、エアカーテン３０を形成するための流出口６３は、分流ダクト９（図２）から略四角形状である投射開口７の左方の辺（縁部）まで延伸している延伸ダクト６１の先端に設けられている。この延伸ダクト６１は、分流ダクト９からの空気分流３２を流出口６３へ導くための導風孔６２を有し、上部外装２および下部外装３の内側に密着して設けられている。分流ダクト９からの空気分流３２は、実施形態１の空気分流３１ｂと同様に、投射開口７の左方から右方の方向へ流れて、投射開口７の全域を覆うエアカーテン３０を形成する。
【００４９】
そして、開閉扉６０は、外面側および内面側ともに段差のない平面の板状であり、実施形態１の段差を有する開閉扉８と異なった形状をしている。また、開閉扉６０は、延伸ダクト６１よりさらに上部外装２および下部外装３の内側に位置して、実施形態１の開閉扉８と同様にスライド移動する。この構成では、開閉扉６０と投射開口７を形成する上部外装２および下部外装３との間に間隙が生じており、この間隙を図示していない軟弾性パッキンで封止している。これにより、開閉扉６０が閉じられ、エアカーテン３０が形成されていない状態においても、投射開口７から塵埃等が投射部４５（図１）へ進入することを防止できる。
【００５０】
さらに、流出口６３が投射開口７の縁部に固定されているため、投射開口７は、開閉扉８の開閉に関係なく、全域が常にエアカーテン３０で覆われている。従って、実施形態１の場合では、エアカーテン３０で覆われていない投射開口７の部分があるが、実施形態２の構成では、エアカーテン３０で覆われていない投射開口７の部分がない。そのため、開閉扉８のスライド移動により投射開口７と開閉扉６０との間に間隙が生じても、エアカーテン３０によって、確実に塵埃等の進入を防止できる。
【００５１】
以上、防塵方法を備えたプロジェクタ１について具体的に説明した。なお、プロジェクタ１は、上記の両実施形態に限定されるものではなく、次に挙げる変形例のような形態であっても、実施形態と同様な効果が得られる。
【００５２】
（変形例１）プロジェクタ１において、エアカーテン３０を形成するための導風孔６２，８１および流出口６３，８３は、実施形態１または実施形態２で説明した構成に限定されない。例えば、導風孔を上部外装２および下部外装３自体の内部に形成し、流出口を投射開口７を形成する端面に設けた構成等であっても良い。また、エアカーテン３０を形成する冷却空気は、投射開口７の左方から右方の方向へ流れる構成のほかに、投射開口７の右方または上方または下方のいずれかから流出する構成であっても良い。
【００５３】
（変形例２）分流ダクト９に切換部９ａを設けることに限定することなく、空気分流３１ａを供給する専用のファンを設け、開閉扉８の開閉に連動して、ファンの稼働を制御する構成であっても良い。または、切換部９ａを設けずに、第２ファン１５ｂが稼働している間は、常時、空気分流３１ａを供給する構成であっても良い。
【００５４】
（変形例３）図３および図１０に示すエアカーテン３０を形成した冷却空気が、投射開口７の右部において、外部側によりスムーズに流れて排出されるように、投射開口７の右部に湾曲部を設けても良い。これにより、冷却空気の流れが乱れ難くなり、より均一なエアカーテン３０を形成できる。
【図面の簡単な説明】
【００５５】
【図１】（ａ）実施形態１にかかるプロジェクタを正面上方から見た斜視図、（ｂ）プロジェクタを正面下方から見た斜視図。
【図２】プロジェクタの内部の構成を示す斜視図。
【図３】エアカーテンを形成する流出口が設けられた開閉扉を示す斜視図。
【図４】制御部の構成を示すブロック図。
【図５】プロジェクタの稼働開始時の手順を示すフローチャート。
【図６】開閉扉が閉まった状態を示す正面図。
【図７】開閉扉が半開の状態を示す正面図。
【図８】開閉扉が全開の状態を示す正面図。
【図９】プロジェクタの稼働終了時の手順を示すフローチャート。
【図１０】実施形態２におけるエアカーテンが形成された投射開口の近傍を示す斜視図。
【符号の説明】
【００５６】
１…プロジェクタ、２…筐体としての上部外装、３…筐体としての下部外装、４…光学ユニット、５…吸気口、６…排気口、７…開口部としての投射開口、８…開閉扉、９…分流ダクト、９ａ…切換部、１１…スライド枠、１２…溝部、１３…開閉機構部、１３ａ…位置検出部、１５…吸気ファン、１６…排気ファン、３０…エアカーテン、３１ａ，３１ｂ，３２…空気分流、４５…投射部、４５ａ…投射レンズ、５０…制御部、５６…開閉扉制御部、６０…開閉扉、６１…延伸ダクト、６２，８１…導風孔、６３，８３…流出口、８２…流入口、９１…伸縮導風筒。
【図１】
2009162987.tif 000003
【図２】
2009162987.tif 000004
【図３】
2009162987.tif 000005
【図４】
2009162987.tif 000006
【図５】
2009162987.tif 000007
【図６】
2009162987.tif 000008
【図７】
2009162987.tif 000009
【図８】
2009162987.tif 000010
【図９】
2009162987.tif 000011
【図１０】
2009162987.tif 000012